(57)【要約】【課題】  入力される映像信号についてフィルムモードを判別するフィルムモードの判別装置およびその判別方法が開示される。【解決手段】  本発明に係るフィルムモード判別装置は、入力される映像信号に対して１周期離隔されたフィールド間のＳＡＤに基づいてフィルムモードを検出するメイン検出部と、ＳＡＤ間の絶対変化量に基づいてフィルムモードを検出するサブ検出部と、計算されたＳＡＤと絶対変化量に基づいて入力される映像信号が静画であるかを判断する静画判断部と、メイン検出部とサブ検出部によるフィルムモードの検出結果と静画判断部による静画判断結果とを組み合わせて映像信号がフィルムモードであるかを決めるフィルムモード決定部と、を含む。【選択図】  図３
2005045807.tif 000002
【特許請求の範囲】
【請求項１】
入力される映像信号に対して１周期離隔されたフィールド間のＳＡＤ（Summed  Absolute  Difference）を計算し、計算された前記ＳＡＤに基づいてフィルムモードを検出するメイン検出部と、
計算された前記ＳＡＤ間の絶対変化量を計算し、計算された前記絶対変化量に基づいてフィルムモードを検出するサブ検出部と、
計算された前記ＳＡＤと前記絶対変化量に基づいて入力される前記映像信号が静画であるかを判断する静画判断部と、
前記メイン検出部と前記サブ検出部によるフィルムモードの検出結果と前記静画判断部による静画判断結果とを組み合わせて前記映像信号がフィルムモードであるかを決めるフィルムモード決定部と、
を含むことを特徴とするフィルムモードの判別装置。
【請求項２】
前記メイン検出部は、
前記映像信号の１周期離隔されたフィールド間の前記ＳＡＤを計算するＳＡＤ計算部と、
計算された前記ＳＡＤを順次格納するＳＡＤ格納部と、
格納された前記ＳＡＤに基づいて第１の臨界値を算出する第１の臨界値算出部と、
算出された前記第１の臨界値に基づいて前記ＳＡＤのパターンを発生させる第１のパターン発生部と、
前記第１のパターン発生部から発生された前記ＳＡＤのパターンを順次格納する第１のパターン格納部と、
前記第１のパターン格納部に格納された前記ＳＡＤのパターンと予め設定された前記ＳＡＤの基本パターンとを比較する第１のパターン比較部と、を含み、
前記第１のパターン比較部によって比較された結果に基づいてフィルムモードを検出することを特徴とする請求項１に記載のフィルムモードの判別装置。
【請求項３】
前記第１の臨界値算出部は、
前記ＳＡＤ格納部に格納された前記ＳＡＤのうち連続した５つのＳＡＤについて最小値を検出する第１の最小値検出部と、
連続した前記５つのＳＡＤに対する最大値を検出する第１の最大値検出部と、を含み、
検出された前記最小値と前記最大値に基づいて前記第１の臨界値を算出することを特徴とする請求項２に記載のフィルムモードの判別装置。
【請求項４】
前記第１の臨界値算出部は、(1)式により前記第１の臨界値を算出することを特徴とする請求項３に記載のフィルムモードの判別装置。
T1 = a x MIN + b x MAX      ・・・(1)
（尚、T1は前記第１の臨界値、ａおよびｂは任意の値であってａ＋ｂ＝１、ＭＩＮは連続した前記５つのＳＡＤ値に対する最小値、MAXは連続した前記５つのＳＡＤに対する最大値である）
【請求項５】
前記サブ検出部は、
計算されたＳＡＤ間の絶対変化量を計算する絶対変化量計算部と、
計算された前記絶対変化量を順次格納する絶対変化量格納部と、
格納された前記絶対変化量に基づいて第２の臨界値を算出する第２の臨界値算出部と、
算出された前記第２の臨界値に基づいて前記絶対変化量のパターンを発生させる第２のパターン発生部と、
前記第２のパターン発生部から発生された前記絶対変化量のパターンを順次格納する第２のパターン格納部と、
前記第２のパターン格納部に格納された前記絶対変化量のパターンと予め設定された前記絶対変化量の基本パターンとを比較する第２のパターン比較部と、を含み、
前記第２のパターン比較部により比較された結果に基づいてフィルムモードを検出することを特徴とする請求項４に記載のフィルムモードの判別装置。
【請求項６】
前記第２の臨界値算出部は、
前記絶対変化量格納部に格納された前記絶対変化量のうち連続した５つについて最小値を検出する第２の最小値検出部と、
連続した前記５つの絶対変化量について最大値を検出する第２の最大値検出部と、を含み、
検出された前記最小値と前記最大値に基づいて前記第２の臨界値を算出することを特徴とする請求項５に記載のフィルムモードの判別装置。
【請求項７】
前記第２の臨界値算出部は、(2)式により前記第２の臨界値を算出することを特徴とする請求項６に記載のフィルムモードの判別装置。
T２ = a’x MIN’+ b’x MAX’      ・・・(2)
（尚、T２は前記第２の臨界値、ａ’およびｂ’は任意の値であってａ’＋ｂ’＝１、ＭＩＮ’は連続した前記５つの絶対変化量に対する最小値、ＭＡＸ’は連続した前記５つの絶対変化量に対する最大値である）
【請求項８】
前記静画判断部は、前記第１のパターン格納部に格納された前記ＳＡＤのパターンおよび前記第２のパターン格納部に格納された前記絶対変化量のパターンに基づいて前記映像信号が静画であるかを判断することを特徴とする請求項７に記載のフィルムモードの判別装置。
【請求項９】
入力される映像信号について１周期離隔されたフィールド間のＳＡＤを計算し、計算された前記ＳＡＤに基づいてフィルムモードを検出するメイン検出ステップと、
計算された前記ＳＡＤ間の絶対変化量を計算し、計算された前記絶対変化量に基づいてフィルムモードを検出するサブ検出ステップと、
計算された前記ＳＡＤおよび前記絶対変化量に基づいて入力される前記映像信号が静画であるかを判断するステップと、
前記メイン検出ステップと前記サブ検出ステップによるフィルムモードの検出結果と前記静画判断ステップによる静画判断結果とを組み合わせて前記映像信号がフィルムモードを決めるステップと、
を含むことを特徴とするフィルムモードの判別方法。
【請求項１０】
前記メイン検出ステップは、
計算された前記ＳＡＤをＳＡＤ格納部に順次格納するステップと、
順次格納された前記ＳＡＤに基づいて第１の臨界値を算出するステップと、
算出された前記第１の臨界値に応じて前記ＳＡＤのパターンを発生するステップと、
発生された前記ＳＡＤのパターンを第１のパターン格納部に順次格納するステップと、
格納された前記ＳＡＤのパターンと予め設定された前記ＳＡＤの基本パターンとを比較するステップと、を含み、
前記ＳＡＤパターン比較ステップによって比較された結果に基づいてフィルムモードを検出することを特徴とする請求項９に記載のフィルムモードの判別方法。
【請求項１１】
前記第１の臨界値算出ステップは、
前記ＳＡＤ格納部に格納された前記ＳＡＤのうち連続した５つのＳＡＤについて第１の最小値を検出するステップと、
連続された前記５つのＳＡＤに対する第１の最大値を検出するステップと、を含み、
検出された前記第１の最小値と前記第１の最大値に基づいて前記第１の臨界値を算出することを特徴とする請求項１０に記載のフィルムモードの判別方法。
【請求項１２】
前記第１の臨界値算出ステップは、(3)式により前記第１の臨界値を算出することを特徴とする請求項１１に記載のフィルムモードの判別方法。
T1 = a x MIN + b x MAX      ・・・(3)
（尚、T1は前記第１の臨界値、ａおよびｂは任意の値であってａ＋ｂ＝１、ＭＩＮは連続した前記５つのＳＡＤに対する最小値、ＭＡＸは連続した前記５つのＳＡＤに対する最大値である）
【請求項１３】
前記サブ検出ステップは、
計算された前記絶対変化量を絶対変化量格納部に順次格納するステップと、
格納された前記絶対変化量に基づいて第２の臨界値を算出するステップと、
算出された前記第２の臨界値に応じて前記絶対変化量のパターンを発生するステップと、
前記第２のパターン発生部から発生された前記絶対変化量のパターンを順次格納するステップと、
前記第２のパターン格納部に格納された前記絶対変化量のパターンと予め設定された前記絶対変化量の基本パターンとを比較するステップと、を含み、
前記絶対変化量パターンの比較ステップによって比較された結果に基づいてフィルムモードを検出することを特徴とする請求項１２に記載のフィルムモードの判別方法。
【請求項１４】
前記第２の臨界値算出ステップは、
前記絶対変化量格納部に格納された前記絶対変化量のうち連続した５つについて最小値を検出する第２の最小値検出ステップと、
連続した前記５つの絶対変化量に対する最大値を検出する第２の最大値検出ステップと、を含み、
検出された前記最小値と前記最大値に基づいて前記第２の臨界値を算出することを特徴とする請求項５に記載のフィルムモードの判別方法。
【請求項１５】
前記第２の臨界値算出ステップは、(4)式により前記第２の臨界値を算出することを特徴とする請求項１４に記載のフィルムモードの判別方法。
T２ = a’x MIN’+ b’x MAX’      ・・・(4)
（尚、T２は前記第２の臨界値、ａ’およびｂ’は任意の値であってａ’＋ｂ’＝１、ＭＩＮ’は連続した前記５つの絶対変化量に対する最小値、ＭＡＸ’は連続した前記５つの絶対変化量に対する最大値である）
【請求項１６】
前記静画検出ステップは、前記第１のパターン格納部に格納された前記ＳＡＤのパターンおよび前記第２のパターン格納部に格納された前記絶対変化量のパターンに基づいて前記映像信号が静画であるかを判断することを特徴とする請求項１５に記載のフィルムモードの判別方法。
【請求項１７】
入力される映像信号に対して１周期離隔されたフィールド間のＳＡＤを計算し、計算された前記ＳＡＤに基づいて３：２プルダウンイメージを検出するメイン検出部と、
計算された前記ＳＡＤ間の絶対変化量を計算し、計算された前記絶対変化量に基づいて３：２プルダウンイメージを検出するサブ検出部と、
計算された前記ＳＡＤと前記絶対変化量に基づいて入力される前記映像信号が静画であるかを判断する静画判断部と、
前記メイン検出部と前記サブ検出部による３：２プルダウンイメージの検出結果と前記静画判断部による静画判断結果とを組み合わせて前記映像信号が３：２プルダウンシーケンスであるかを決める３：２プルダウンシーケンス決定部と、
を含むことを特徴とする３：２プルダウンシーケンスの判別装置。
【請求項１８】
入力される映像信号に対して１周期離隔されたフィールド間のＳＡＤを計算し、計算された前記ＳＡＤに基づいて３：２プルダウンイメージを検出するメイン検出ステップと、
計算された前記ＳＡＤ間の絶対変化量を計算し、計算された前記絶対変化量に基づいて３：２プルダウンイメージを検出するサブ検出ステップと、
計算された前記ＳＡＤおよび前記絶対変化量に基づいて入力される前記映像信号が静画であるかを判断するステップと、
前記メイン検出ステップと前記サブ検出ステップによる３：２プルダウンイメージの検出結果と前記静画判断ステップによる静画判断結果とを組み合わせて前記映像信号が３：２プルダウンシーケンスを決めるステップと、
を含むことを特徴とする３：２プルダウンシーケンスの判別方法。
【発明の詳細な説明】
【技術分野】
【０００１】
本発明は、映像信号のフィルムモード判別装置およびその判別方法に関し、特に、入力された映像信号が３：２プルダウンされたフィルムモードであるかを判別するフィルムモード判別装置およびその判別方法に関する。
【背景技術】
【０００２】
人の視覚は、秒当たり１６枚以上の画面をみると連続している映像のように感じる。即ち、動画においては、秒当たり１６枚が情報を保存しつつ信号を見本化するための最小のサンプリング周波数（Nyquist周波数）をなしている。これを考えて映画は秒当たり２４枚の速度で、ＴＶは秒当たり２５枚もしくは３０枚の速度で映像を処理する。
【０００３】
映画は１つ１つの画面を瞬間的にフィルムにして格納し、画面単位で一瞬にスクリーンへ写すプログレシブ（progressive）方式を用いる。一方、TVは、電波を介して映像を転送すべきなので画面ごとに数百個の走査線を走査して撮影および転送し、ブラウン管にても走査により映像をディスプレーする。アメリカ、日本、韓国などで採択しているＮＴＳＣ（National  Television  System  Committee）カラーＴＶ方式は、画面当たり５２５ラインの走査線に秒当たり３０枚を、ヨーロッパなどで採択しているＰＡＬ（Phase  Alternation  Line）方式やＳＥＣＡＭ（Sequential  Couleur  ａ  Memoire）方式は６２５ラインに秒当たり２５枚を転送する。
【０００４】
さらに、ＴＶにおいて限られた走査線を用いてより効果的に動画を示すための１つの画面（フレーム）を再び２つのフィールドに分けて交代に走査する、いわゆる隔行（interlaced）走査方法を用いる。この際、分けられたそれぞれのフィールドは、トップフィールド（top  field）/ボトムフィールド（bottom  field）、奇数フィールド（odd  field）/偶数フィールド（even  field）、上位フィールド（upper  field）/下位フィールド（lower  field）などのように呼ばれる。尚、ＮＴＳＣ方式は秒当たり６０フィールドで、ＰＡＬやＳＥＣＡＭ方式は秒当たり５０フィールドでその映像を処理する。
【０００５】
映画をＴＶに放映する際には、テレシネ（テレビとシネマの合成語）という変換機を介して映画フィルムの一枚一枚を走査して転送する。この際、映画やＴＶの秒当たり画面数が相違しており、これを合わせずにフィルムをそのままＴＶ画面の速度に再生すると、ＮＴＳＣ方式の場合は秒当たり３０画面であるためその動きの速い映画に感じる。従って、映画フィルムをＮＴＳＣ方式のＴＶに転送する場合、画面の速度を合わせるため秒当たり２４画面から６０フィールドを得るべきであって、２画面から５フィールドを得ればよい。簡単で実用的に用いられる方法としては、２画面のうち最初の画面にて３フィールドを走査し、他の画面にて２フィールドを走査する方法である。これを「３：２プルダウン方式」という。
【０００６】
原則的に、ＤＶＤ（Digital  Video  Disk）は、原本映画のような２４フレームの原本イメージを直ちにＤＶＤに製造できる。しかし、現在に普及されているＴＶのようなディスプレー装備の絶対多数がインタレーシング方式の装備であるので、現実的にはＤＶＤはインタフェースに合わせてインタレーシング方式に作り出される。従って、インタレーシング方式で製造されたタイトルを再びプログレシブ方式に復元するため３：２プルダウン作業を逆行しなければならない。このようなデインタレーシング（de−interlacing）作業において最も肝心なのは３：２プルダウンシーケンスを正しく認識するかにかかっている。（このような３：２プルダウン状態は主に映画に適用されのでフィルムモードと称される）。
【０００７】
図１は、３：２プルダウン過程を説明するために示された図である。同図を参照すると、３：２プルダウン方式は、２つのフレームが５つのフィールドに走査される。映画の１つのフレームは奇数ラインからなるトップフィールドと偶数ラインからなるボトムフィールドからなり、ＴＶの３フィールドを作るためにトップフィールドまたはボトムフィールドのうちいずれかのフィールドが繰り返される。図面において、フレーム１のトップフィールドはＴ１、ボトムフィールドはＢ１であり、フレーム２のトップフィールドはＴ２、ボトムフィールドはＢ２で表した。
【０００８】
図２は、従来技術に係るフィルムモードの検出過程を示したブロック図である。同図を参照すると、３：２プルダウンから検出された１０個のフィールドをそれぞれＦ１、Ｆ２、Ｆ３、Ｆ４、Ｆ５、Ｆ６、Ｆ７、Ｆ８、Ｆ９、Ｆ１０とすると、ＳＡＤの周期が５であるという点を用いてフィルムモードを検出する。つまり、２つのフィールドを周期にしてＳＡＤを求めると、Ｆ１-Ｆ３、Ｆ６-Ｆ８のＳＡＤは極めて小さくなる（もし、ノイズがなければＳＡＤはゼロに近くなる）。尚、ＳＡＤが小さくなる理由は、繰り返されたフィールドで元のフィールドを引くからである。かかる規則性に従ってフィルムモード検出は通常１/３０秒間隔ぐらいに離隔した２つフィールドを画素別に引き（２０４）、絶対値を取る（２０５）。その値を全画素について合算した結果を中間データで作り出す（２０６）。例えば、｜Ｆ１-Ｆ３｜＝Ｄ１、｜Ｆ２-Ｆ４｜＝Ｄ２、｜Ｆ３-Ｆ４｜＝Ｄ３・・・などで仮定すると、ＳＡＤ値のＤ１とＤ６は極めて小さい値になり、残りの値は大きい値を有することになる。さらに、それぞれのＳＡＤ値は、小、大、大、大、大といった規則性に従う。
【０００９】
ところで、画面転換などのような障害が生じた場合、ＳＡＤは極めて大きくなる。かかる場合を考慮して臨界値Ｍ１を置き、Ｍ１より大きいＳＡＤ値は臨界値Ｍ１に代置する制限処理（Limiting）を行う（Ｓ２０７）。このように制限処理すると、ＳＡＤ値Ｄ１、Ｄ２、Ｄ３・・・からなしているシーケンスの形態は周期が５であり、ある程度の限界内で動けることの可能な振幅を有することになる。このような形態の波形を２π/５を中心とし、ＤＣゲイン（gain）がゼロであるデジタル帯域通過フィルタ（Bandpass  Filter）に通過させると（Ｓ２０８）、周期が５の波長である場合にはある程度振幅を有する正弦波に近い信号が出され、周期が５でない場合には出力はほとんどゼロになる。このような方法で出力された正弦波に近い信号のパワーを計算すると（２０９）、周期が５の信号についてはそのパワー値が大きく、そうでない信号についてはゼロに近いパワー値になる。従って、計算されたパワー値を予め決定した臨界値Ｍ２と比較し計算されたパワー値が臨界値Ｍ２より大きい場合に対してはフィルムモードとして判定し、その他の場合はフィルムモードでないと判定する（２１０）。
【００１０】
前述の従来技術によると、３：２プルダウンストリームの１/３０秒間隔の２つフィールドのＳＡＤ値は周期５を有するが、ノイズが添加されるとその周期性は破壊される。さらに、制限処理ブロックは画面転換時に現れるピークを取り除くが、このとき入力ストリームに応じてＳＡＤ値の小さい状況であっても一定値にするので、周期性を求める際に誤った値が出力される恐れがある。また、モード検出ブロックは臨界値を予め設定しなければならないが、この場合入力ストリームに応じてそのパワーが相違になる場合が生じるため固定された値で臨界値を設定することは望ましくない。
【００１１】
従って、従来技術に係るフィルムモード検出方法は、重なった実験からその臨界値を適切に設定したとしても、入力されるストリームのノイズや画面の変化（ＳＡＤ）の斜め程度（その動きが大きくなったり小さくなったりする場合）によってフィルムモードの検出が誤まってしまう恐れがある。
【発明の開示】
【発明が解決しようとする課題】
【００１２】
本発明は前述した問題点を解決するために案出されたもので、本発明の目的は、入力されるストリームのノイズが多く、且つＳＡＤ値の変化量が大きい場合においても正確なフィルムモードを検出することのできるフィルムモード判別装置およびその判別方法を提供することにある。
【課題を解決するための手段】
【００１３】
前述した目的を達成するための本発明に係るフィルムモード判別装置は、入力される映像信号に対して１周期離隔されたフィールド間のＳＡＤ（Summed  Absolute  Difference）を計算し、計算された前記ＳＡＤに基づいてフィルムモードを検出するメイン検出部と、計算された前記ＳＡＤ間の絶対変化量を計算し、計算された前記絶対変化量に基づいてフィルムモードを検出するサブ検出部と、計算された前記ＳＡＤと前記絶対変化量に基づいて入力される前記映像信号が静画であるかを判断する静画判断部と、前記メイン検出部と前記サブ検出部によるフィルムモードの検出結果と前記静画判断部による静画判断結果とを組み合わせて前記映像信号のフィルムモードを決めるフィルムモード決定部と、を含む。
【００１４】
尚、前記メイン検出部は、前記映像信号の１周期離隔されたフィールド間の前記ＳＡＤを計算するＳＡＤ計算部と、計算された前記ＳＡＤを順次格納するＳＡＤ格納部と、格納された前記ＳＡＤに基づいて第１の臨界値を算出する第１の臨界値算出部と、算出された前記第１の臨界値に基づいて前記ＳＡＤのパターンを発生させる第１のパターン発生部と、前記第１のパターン発生部から発生された前記ＳＡＤのパターンを順次格納する第１のパターン格納部と、前記第１のパターン格納部に格納された前記ＳＡＤのパターンと予め設定された前記ＳＡＤの基本パターンとを比較する第１のパターン比較部と、を含むことが好ましい。この際、前記メイン検出部は、前記第１のパターン比較部によって比較された結果に基づいてフィルムモードを検出する。
【００１５】
さらに、前記第１の臨界値算出部は、前記ＳＡＤ格納部に格納された前記ＳＡＤのうち連続した５つのＳＡＤについて最小値を検出する第１の最小値検出部と、連続した前記５つのＳＡＤに対する最大値を検出する第１の最大値検出部と、を含み、検出された前記最小値と前記最大値に基づいて前記第１の臨界値を算出する。
【００１６】
好ましくは、前記第１の臨界値算出部は、(5)式により前記第１の臨界値を算出する。
T1 = a x MIN + b x MAX      ・・・(5)
（尚、T1は前記第１の臨界値、ａおよびｂは任意の値であってａ＋ｂ＝１、ＭＩＮは連続した前記５つのＳＡＤ値に対する最小値、MAXは連続した前記５つのＳＡＤに対する最大値である）
【００１７】
また、前記サブ検出部は、計算されたＳＡＤ間の絶対変化量を計算する絶対変化量計算部と、計算された前記絶対変化量を順次格納する絶対変化量格納部と、格納された前記絶対変化量に基づいて第２の臨界値を算出する第２の臨界値算出部と、算出された前記第２の臨界値に基づいて前記絶対変化量のパターンを発生させる第２のパターン発生部と、前記第２のパターン発生部から発生された前記絶対変化量のパターンを順次格納する第２のパターン格納部と、前記第２のパターン格納部に格納された前記絶対変化量のパターンと予め設定された前記絶対変化量の基本パターンとを比較する第２のパターン比較部と、を含むことが好ましい。この際、前記サブ検出部は、前記第２のパターン比較部により比較された結果に基づいてフィルムモードを検出する。
【００１８】
さらに、前記第２の臨界値算出部は、前記絶対変化量格納部に格納された前記絶対変化量のうち連続した５つについて最小値を検出する第２の最小値検出部と、連続した前記５つの絶対変化量について最大値を検出する第２の最大値検出部と、を含み、この際に検出された前記最小値と前記最大値に基づいて前記第２の臨界値を算出する。
【００１９】
好ましくは、前記第２の臨界値算出部は、(6)式により前記第２の臨界値を算出する。
T２ = a’x MIN’+ b’x MAX’      ・・・(6)
（尚、T２は前記第２の臨界値、ａ’およびｂ’は任意の値であってａ’＋ｂ’＝１、ＭＩＮ’は連続した前記５つの絶対変化量に対する最小値、ＭＡＸ’は連続した前記５つの絶対変化量に対する最大値である）。さらに、前記静画判断部は、前記第１のパターン格納部に格納された前記ＳＡＤのパターンおよび前記第２のパターン格納部に格納された前記絶対変化量のパターンに基づいて前記映像信号が静画であるかを判断する。
【００２０】
一方、本発明に係るフィルムモード判別送致は、入力される映像信号について１周期離隔されたフィールド間のＳＡＤを計算し、計算された前記ＳＡＤに基づいてフィルムモードを検出するメイン検出ステップと、計算された前記ＳＡＤ間の絶対変化量を計算し、計算された前記絶対変化量に基づいてフィルムモードを検出するサブ検出ステップと、計算された前記ＳＡＤおよび前記絶対変化量に基づいて入力される前記映像信号が静画であるかを判断するステップと、前記メイン検出ステップと前記サブ検出ステップによるフィルムモードの検出結果と前記静画判断ステップによる静画判断結果とを組み合わせて前記映像信号のフィルムモードを決めるステップと、を含むフィルムモードの判別方法を提供する。
【００２１】
これによって、フィルムモードの判別装置は、入力されるストリームのノイズが多く、且つＳＡＤ値の変化量が大きい場合でも正確なフィルムモードを検出することができる。
【発明の効果】
【００２２】
本発明に係るフィルムモード判別装置は、入力される映像信号のＳＡＤの変化および絶対変化量の変化に応じて適切な臨界値を算出しフィルムモードを判別することによって、ノイズの多い時や動きの多い映像信号が入力された場合でも正確なフィルムモードの決定を可能にする。また、フィルムモード判別装置は３：２プルダウンイメージのフラグオン/オフがしきりに転換されることにより生じられた画面の不自然さも抑えることができる。
【発明を実施するための最良の形態】
【００２３】
以下、添付の図面を参照して本発明の好適な実施例を詳述する。
図３は本発明に係るフィルムモードの判別装置を概略的に示したブロック図である。同図を参照すると、フィルムモード判別装置は、メイン検出部３００、サブ検出部３５０、静画判断部３８０、およびフィルムモード決定部３９０を備える。
【００２４】
メイン検出部３００は、入力される映像信号について１周期離隔されたフィールド間のＳＡＤを計算し、計算されたＳＡＤに基づいてフィルムモードを検出する。サブ検出部３５０は、計算されたＳＡＤ間の絶対変化量を計算し、計算された絶対変化量に基づいてフィルムモードを検出する。静画判断部３８０は、計算されたＳＡＤおよびＳＡＤ間の絶対変化量に基づいて入力される映像信号が静画であるかを判断する。フィルムモード決定部３９０は、メイン検出部３００およびサブ検出部３５０によるフィルムモードの検出結果、および静画判断部３８０による静画判断の結果を組み合わせて映像信号のフィルムモード可否を決定する。
【００２５】
一方、メイン検出部３００は、ＳＡＤ計算部３０３、ＳＡＤ格納部３０５、第１の臨界値算出部３０７、第１のパターン発生部３０９、第１のパターン格納部３１１、第１のパターン比較部３１３を備える。
【００２６】
ＳＡＤ計算部３０３は、映像信号の１周期離隔されたフィールド間のＳＡＤを計算する。ＳＡＤ格納部３０５は、計算されたＳＡＤを順次格納する。計算されたＳＡＤの順次格納のために、ＳＡＤ格納部３０５は所定個の先入力・先出力（ＦＩＦＯ）（First  Input  First  Output）バッファーに具現される。第１の臨界値算出部３０７は格納されたＳＡＤを用いて第１の臨界値を算出する。第１のパターン発生部３０９は、算出された第１の臨界値に基づいてＳＡＤのパターンを発生させる。第１のパターン格納部３１１は、第１のパターン発生部３０９から発生されたＳＡＤのパターンを順次格納する。第１のパターン発生部３０９によって発生されたＳＡＤパターンの順次格納のために、第１のパターン格納部３１１は、所定個の先入力先出力バッファーで具現される。第１のパターン比較部３１３は、第１のパターン格納部３１１に格納されたＳＡＤのパターンと予め設定されたＳＡＤの基本パターンとを比較する。
【００２７】
また、第１の臨界値算出部３０７は、第１の最小値検出部３０７ａおよび第１の最大値検出部３０７ｂを備える(図４参照)。第１の最小値検出部３０７ａはＳＡＤ格納部３０５に格納されたＳＡＤのうち連続した５つのＳＡＤに対する最小値を検出する。さらに、第１の最大値検出部３０７ｂは、連続した５つのＳＡＤに対する最大値を算出する。この場合、３：２プルダウンを示すフィルムモードにおいて、ＳＡＤは５周期ごとに１回最小値が発生するため、第１の最小値検出部３０７ａは５周期に１回のみ最小値を検出して動作の負担を減らすように具現されることもできる。
【００２８】
一方、サブ検出部３５０は、絶対変化量計算部３５３、絶対変化量格納部３５５、第２の臨界値算出部３５７、第２のパターン発生部３５９、第２のパターン格納部３６１、および第２のパターン比較部３６３を備える。絶対変化量計算部３５３は、ＳＡＤ計算部３０３により計算されたＳＡＤ間の絶対変化量を計算する。絶対変化量格納部３５５は、計算された絶対変化量を順次格納する。第２の臨界値算出部３５７は、格納された絶対変化量を用いて第２の臨界値を算出する。第２のパターン発生部３５９は、算出された第２の臨界値に応じて絶対変化量のパターンを発生させる。第２のパターン格納部３６１は、第２のパターン発生部３５９により発生された絶対変化量のパターンを順次格納する。この場合、絶対変化量格納部３５５および第２のパターン格納部３６１は、ＳＡＤ格納部３０５および第１のパターン格納部３１１と同様に先入力先出力バッファーで具現されることが好ましい。
【００２９】
第２のパターン比較部３６３は、第２のパターン格納部３６１に格納された絶対変化量のパターンと予め設定された絶対変化量の基本パターンとを比較する。さらに、第２の臨界値算出部３５７は、第２の最小値検出部３５７ａ、および第２の最大値検出部３５７ｂを備える（図５参照）。第２の最小値検出部３５７ａは、絶対変化量格納部３５５に格納された絶対変化量のうち連続した５つの絶対変化量に対する最小値を検出する。さらに、第２の最大値検出部３５７ｂは連続した５つの絶対変化量に対する最大値を検出する。尚、第２のパターン格納部３６１は第１のパターン格納部３１１に格納されたＳＡＤ間の絶対変化量が順次格納されるように具現することが好ましい。第１のパターン格納部３１１および第２のパターン格納部３６１の関係は図６に示された通りである。
【００３０】
図７は本発明に係るフィルムモード判別装置によるフィルムモードの判別方法を示した流れ図である。同図を参照しながら本発明を詳細する。
メイン検出部３００のＳＡＤ計算部３０３は、入力される映像信号の１周期離隔されたフィールド間のＳＡＤを計算する（Ｓ７０１）。つまり、入力される映像信号について以前のフィールドを前フィールド（ｎ−１）、現在のフィールドを現フィールド（ｎ）、１周期の次のフィールドを次フィールド（ｎ＋１）とすると、ＳＡＤ計算部３０３は前フィールド（ｎー１）と次フィールド（ｎ＋１）間の画素値の差を計算して１周期離隔されたフィールド間のＳＡＤ値を計算する。
メイン検出部３００は、計算されたＳＡＤに基づいて入力される映像信号が３：２プルダウンイメージであるか、つまり入力される映像信号がフィルムモードであるかを検出する（Ｓ７０３）。
【００３１】
図８には、メイン検出部３００によるフィルムモード検出過程が図示されている。
同図を参照すると、ＳＡＤ格納部３０５は、ＳＡＤ計算部３０３により計算されたＳＡＤを順次格納する（Ｓ８０１）。第１の臨界値算出部３０７の第１の最小値検出部３０７ａは、ＳＡＤ格納部３０５に格納されたＳＡＤのうち連続した５つのＳＡＤに対する最小値を検出する（Ｓ８０３）。この場合、３：２プルダウンイメージは、５周期に１回ずつ同じフレームにより同じフィールドが繰り返されるので、第１の最小値検出部３０７ａは５周期に１回ずつのみ最小値を検出するように備えられることもできる。第１の臨界値算出部３０７の第１の最大値検出部３０７ｂはＳＡＤ格納部３０５に格納されたＳＡＤのうち連続した５つのＳＡＤに対する最大値を検出する（Ｓ８０５）。
第１の臨界値算出部３０７は、第１の最小値検出部３０７ａおよび第１の最大値検出部３０７ｂにより検出されたＳＡＤに対する最小値および最大値に基づいて第１の臨界値を算出し（Ｓ８０７）、第１の臨界値算出に対する式は(7)式の通りである。
【００３２】
【数１】
2005045807.tif 000003
【００３３】
尚、T1は前記第１の臨界値、ａおよびｂは任意の値であってａ＋ｂ＝１、ＭＩＮは連続した５つのＳＡＤに対する最小値、MAXは連続した５つのＳＡＤに対する最大値である。
第１のパターン発生部３０９は、第１の臨界値算出部３０７によって算出された第１の臨界値に応じてＳＡＤ格納部３０５に格納されたＳＡＤのパターンを発生させる（Ｓ８０９）。この場合、第１のパターン発生部３０９はＳＡＤと算出部３０７により算出された第１の臨界値を比較し、ＳＡＤが第１の臨界値より多き場合には「１」を発生させ、その他の場合には「０」を発生させるように具現する。
【００３４】
第１のパターン格納部３１１は、第１のパターン発生部３０９によって発生されたＳＡＤのパターンを順次格納する（Ｓ８１１）。第１のパターン比較部３１３は、第１のパターン格納部３１１に格納されたＳＡＤのパターンと予め設定されたＳＡＤの基本パターンとを比較する（Ｓ８１３）。尚、ＳＡＤの基本パターンは３：２プルダウンイメージのＳＡＤに対する基本パターンであり、５つの形態で示される。つまり、ＳＡＤの基本パターンは０１１１１０１１１１、１０１１１１０１１１、１１０１１１１０１１、１１１０１１１１０１、１１１１０１１１１０となる。メイン検出部３００は、第１のパターン比較部３１３により比較された結果に基づいてフィルムモードを検出する（Ｓ８１５）。係るフィルムモード検出過程は、入力される映像信号に対して繰り返して行われ、画面が急激に変換される場合にも変化された画面に適切の対応を行う。
【００３５】
再び図７に戻って詳説する。サブ検出部３５０の絶対変化量計算部３５３は、ＳＡＤ計算部３０３によって計算されたＳＡＤ間の絶対変化量を計算する（Ｓ７０５）。つまり、前フィールド（ｎ−１）と次フィールド（ｎ＋１）間の画素値の差をＳＡＤ１とし、現フィールドと１周期離隔された次フィールド(ｎ＋１)間の画素値の差をＳＡＤ２とすると、絶対変化量計算部３５３は、ＳＡＤ１とＳＡＤ２との絶対値の差、即ち、絶対変化量を計算する。サブ検出部３５０は、絶対変化量計算部３５３により計算された絶対変化量に基づいて入力される映像信号が３：２プルダウンイメージであるかを検出する（Ｓ７０７）。サブ検出部３５０によるフィルムモード検出過程は図９に示されている。
【００３６】
図９を参照すると、絶対変化量格納部３５５は、絶対変化量計算部３５３により計算された絶対変化量を順次格納する（Ｓ９０１）。この場合のＳＡＤおよび絶対変化量が図１０に示されている。第２の臨界値算出部３５７の第２の最小検出部３５７ａは、絶対変化量格納部３５５に格納された絶対変化量のうち連続した５つの絶対変化量に対する最小値を検出する（Ｓ９０３）。第２の臨界値算出部３５７の第２の最大値検出部３５７ｂは、絶対変化量格納部３５５に格納された絶対変化量のうち連続した５つの絶対変化量に対する最大値を検出する（Ｓ９０５）。
【００３７】
第２の臨界値算出部３５７は、第２の最小値検出部３５７ａおよび第２の最大値検出部３５７ｂにより検出された絶対変化量に対する最小値および最大値に基づいて第２の臨界値を算出し（Ｓ９０７）、第２の臨界値算出に対する式は(8)式の通りである。
【００３８】
【数２】
2005045807.tif 000004
【００３９】
尚、T２は前記第２の臨界値、ａ’およびｂ’は任意の値であって、ａ’＋ｂ’＝１、ＭＩＮ’は連続した５つの絶対変化量に対する最小値、ＭＡＸ’は連続した５つの絶対変化量に対する最大値である
【００４０】
第２のパターン発生部３５９は、第２の臨界値算出部３５７により算出された第２の臨界値に基づいて絶対変化量格納部３５５に格納された絶対変化量のパターンを発生させる（Ｓ９０９）。この場合、第２のパターン発生部３５９は、絶対変化量と第２の臨界値算出部３５７により算出された第２の臨界値とを比較して、絶対変化量が大きい場合「１」を発生させ、その他の場合には「０」を発生させる。
【００４１】
第２のパターン格納部３６１は、第２のパターン発生部３５９によって発生された絶対変化量のパターンを順次格納する（Ｓ９１１）。第２のパターン比較部３６３は、第２の格納部３６１に格納された絶対変化量のパターンと予め設定された絶対変化量の基本パターンとを比較する（Ｓ９１３）。ここで、絶対変化量の基本パターンは、３：２プルダウンイメージの絶対変化量に対する基本パターンであり、５つの形態で示すことができる。即ち、絶対変化量の基本パターンは、１０００１１０００１、１１０００１１０００、０１１０００１１００、００１１０００１１０、０００１１０００１１となる。絶対変化量の基本パターンについては図１１に示されている。サブ検出部３５０は、第２のパターン比較部３６３により比較された結果に基づいてフィルムモードを検出する（Ｓ９１５）。
【００４２】
再び、図７に戻って、静画判断部３８０は、ＳＡＤおよび絶対変化量に基づいて入力される映像信号が静画であるかを判断する（Ｓ７０９）。例えば、現、計算されたＳＡＤと１つのフィールド以前に計算されたＳＡＤがそれ以前のＳＡＤに比べて小さく、現在計算されたＳＡＤと１つのフィールド以前に計算されたＳＡＤとの間の絶対変化量が以前の絶対変化量に比べて小さければ、入力される現映像信号は静画に近い。この場合、第１のパターン格納部３１１および第２のパターン格納部３６１に格納されたＳＡＤのパターンおよび絶対変化量のパターンは次の通りである。
【００４３】
ＳＡＤ＿pattern[ｎ−１]＝０
ＳＡＤ＿pattern[ｎ]＝０
｜ΔＳＡＤ｜＿pattern[n−１] =０
【００４４】
フィルムモード決定部３９０は、メイン検出部３００およびサブ検出部３５０によるフィルムモードの検出の結果、静画判断部３８０による静画の判断結果を組み合わせ、映像信号がフィルムモードを決定する。この際、静画判断部３８０により入力される映像信号が静画であると判断されれば、現在のＳＡＤのパターンおよび絶対変化量のパターンは３：２プルダウンイメージでないものの、前の３：２プルダウンイメージグラフはそのまま維持される。フィルムモード決定部３９０によるフィルムモード決定に関するいくつかの例が表１に示されている。
【００４５】
【表１】
2005045807.tif 000005
【００４６】
フィルムモード決定部３９０は、メイン検出部３００およびサブ検出部３５０による結果を前フラグに基づいて３：２プルダウンイメージを出力する。例えば、前フラグが「０」であり、入力された映像信号に対するカウント値が所定値より小さい場合、即ち、メイン検出部３００およびサブ検出部３５０により検出されたフィルムモードが所定時間続かなければ、フィルムモード決定部３９０は静止フラグとは関係なく、前フラグをそのまま維持して「０」を出力する。前フラグが「０」であり、入力された映像信号に対するカウント値が所定値に至った場合、メイン検出部３００およびサブ検出部３５０がフィルムモードを検出すると、フィルムモード決定部３９０は、静止フラグとは関係なしに前フラグを反転して「１」を出力する。尚、前フラグが「０」であるというのは、前映像信号に対して３：２プルダウンイメージが決定されていないことを意味する。
【００４７】
前フラグが「１」である場合、つまり、前映像信号について３：２プルダウンイメージが決められた場合には、フィルムモード決定部３９０はカウント値とは関係なしにフィルムモードを決定する。即ち、前フラグが「１」である場合について、メイン検出部３００およびサブ検出部３５０によりフィルムモードが検出される。静画判断部３８０により静画でないと判断されれば、フィルムモード決定部３９０は入力される映像信号が３：２プルダウンイメージであると決定する。さらに、メイン検出部３００によりフィルムモードが検出されたものの、サブ検出部３５０によってはフィルムモードが検出されなかった場合にも静止フラグが「０」である場合、即ち、静画判断部３８０によって静画でないと判断されれば、フィルムモード決定部３９０は入力される映像信号が３：２プルダウンイメージであると決定する。
【００４８】
しかし、前フラグが「１」である場合について静止フラグが「１」であれば、フィルムモード決定部３９０は、メイン検出部３００およびサブ検出部３５０のフィルムモードの検出有無と関係なしに、前フラグを維持して入力される映像信号を３：２プルダウンイメージであると決定する。これは頻繁な３：２プルダウンイメージフラグのオン/オフによる画質の不自然さを抑えるためのもので、フィルムモード映像信号が入力された後フィルムモードでない静画が入力された場合、静画についてフィルムモードと同じ処理を行ったとしても不作用のない点を利用したのである。
【００４９】
よって、本発明に係るフィルムモード判別装置は、ＳＡＤおよび絶対変化量を用いてフィルムモードを検出することによって正しいフィルムモードの検出が可能となる。さらにフィルムモード判別装置は、従来技術にて発生した頻繁な３：２プルダウンイメージフラグのオン/オフの転換回数を減らすことで、画質の不自然さを抑えることができる。
【００５０】
以上、図面を参照して本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００５１】
本発明は、映像信号のフィルムモードの判別装置およびその方法に関し、詳しくは、入力された映像信号が３：２プルダウンされたフィルムモードであるかを判断するフィルムモードの判別装置およびその方法用いられる。
【図面の簡単な説明】
【００５２】
【図１】３：２プルダウン過程を説明するための図である。
【図２】従来技術に係るフィルムモードの検出過程を示したブロック図である。
【図３】本発明に係るフィルムモードの判別装置を概略的に示したブロック図である。
【図４】図３の第１の臨界値算出部を概略的に示したブロック図である。
【図５】図３の第２の臨界値算出部を概略的に示したブロック図である。
【図６】ＳＡＤパターン格納部および絶対変化量パターン格納部の係わりを説明するための図である。
【図７】図３によるフィルムモードの判別方法を示した流れ図である。
【図８】図７のメイン検出部によるフィルムモードの検出過程を示した流れ図である。
【図９】図７のサブ検出部によるフィルムモードの検出過程を示した流れ図である。
【図１０】図７のＳＡＤおよび絶対変化量を示した図である。
【図１１】ＳＡＤパターンおよび絶対変化量パターンの一例を示した図である。
【符号の説明】
【００５３】
３００    メイン検出部
３０３    ＳＡＤ計算部
３０５    ＳＡＤ格納部
３０７    第１の臨界値算出部
３０９    第１のパターン発生部
３１１    第１のパターン格納部
３１３    第１のパターン比較部
３５０    サブ検出部
３５３    絶対変化量計算部
３５５    絶対変化量格納部
３５７    第２の臨界値算出部
３５９    第２のパターン発生部
３６１    第２のパターン格納部
３６３    第２のパターン比較部
３８０    静画判断部
３９０    フィルムモード決定部
【図１】
2005045807.tif 000006
【図２】
2005045807.tif 000007
【図３】
2005045807.tif 000008
【図４】
2005045807.tif 000009
【図５】
2005045807.tif 000010
【図６】
2005045807.tif 000011
【図７】
2005045807.tif 000012
【図８】
2005045807.tif 000013
【図９】
2005045807.tif 000014
【図１０】
2005045807.tif 000015
【図１１】
2005045807.tif 000016